(57)【要約】      （修正有）【課題】作業性が良好でコストも抑えられる放射線遮蔽体を形成する方法を提供する。【解決手段】組立ユニット２０は好ましくは、部屋が建築される場所とは異なる場所の工場等で形成される。組立ユニット２０は、３枚の矩形の鋼板２１を積層して形成される。組立ユニット２０は、少なくとも１辺において各鋼板２１がその１辺に垂直な方向にずれることにより階段形状を有する連結部２２を有している。形成された組立ユニット２０は、部屋が建築される場所にトラック等で運搬される。運搬された組立ユニット２０は、互いの連結部２２を組み合わせることにより互いに連結されて、放射線遮蔽体が形成される。【選択図】図２
2018066646.tif 000002
【特許請求の範囲】
【請求項１】
放射線を照射する機器を設置する部屋の壁、床及び天井の少なくとも１つに埋め込まれる放射線遮蔽体を形成する方法であって、
少なくとも２枚の矩形の鋼板を積層して組立ユニットを形成するステップと、
前記組立ユニットを組み合わせて前記放射線遮蔽体を形成するステップと
を含み、
前記組立ユニットは、少なくとも１辺において各鋼板が該１辺に垂直な方向にずれることにより階段形状を有する連結部を有し、隣り合う組立ユニットは、前記連結部同士を組み合わせることによって互いに連結される方法。
【請求項２】
前記組立ユニットを形成するステップは、前記部屋が建築される場所とは異なる場所で行われ、
前記方法は、前記組立ユニットを形成するステップと前記放射線遮蔽体を形成するステップとの間に、前記部屋が建築される場所に前記組立ユニットを運搬するステップをさらに含む、請求項１に記載の方法。
【発明の詳細な説明】
【技術分野】
【０００１】
この発明は、放射線遮蔽体を形成する方法に係り、特に、放射線を照射する医療機器等を取り扱う放射線管理室の壁や床等に埋め込まれる放射線遮蔽体を形成する方法に関する。
【背景技術】
【０００２】
特許文献１には、放射線を照射する医療機器等を取り扱う放射線管理室の壁や床等に埋め込まれる放射線遮蔽体が記載されている。このような放射線遮蔽体を形成するために、従来は、放射線管理室を建築する現場に、放射線遮蔽体を構成する大きな鋼板を運搬した後、当該現場でこれらを積層して放射線遮蔽体を形成していた。
【先行技術文献】
【特許文献】
【０００３】
【特許文献１】特開２０１４−１９４４０５号公報（段落００６２）
【発明の概要】
【発明が解決しようとする課題】
【０００４】
しかしながら、このような従来の方法では、鋼板の運搬に手間やコストがかかり、放射線管理室を建築する現場に鋼板を保管するための広いスペースが必要になるといった問題点があった。
【０００５】
この発明はこのような問題点を解決するためになされたもので、作業性が良好でコストも抑えられる放射線遮蔽体を形成する方法を提供することを目的とする。
【課題を解決するための手段】
【０００６】
放射線を照射する機器を設置する部屋の壁、床及び天井の少なくとも１つに埋め込まれる放射線遮蔽体を形成する方法は、少なくとも２枚の矩形の鋼板を積層して組立ユニットを形成するステップと、組立ユニットを組み合わせて放射線遮蔽体を形成するステップとを含み、組立ユニットは、少なくとも１辺において各鋼板が該１辺に垂直な方向にずれることにより階段形状を有する連結部を有し、隣り合う組立ユニットは、連結部同士を組み合わせることによって互いに連結される。
組立ユニットを形成するステップは、部屋が建築される場所とは異なる場所で行われ、この方法は、組立ユニットを形成するステップと放射線遮蔽体を形成するステップとの間に、部屋が建築される場所に組立ユニットを運搬するステップをさらに含んでもよい。
【発明の効果】
【０００７】
この発明によれば、少なくとも２枚の矩形の鋼板を積層した組立ユニットを連結して放射線遮蔽体を形成することにより、部屋の壁、床及び天井のそれぞれよりも小さい鋼板を用いればよいので、作業性が良好でコストも抑えることができる。
【図面の簡単な説明】
【０００８】
【図１】この発明の実施の形態に係る方法で形成された放射線遮蔽体を含む部屋の断面図である。
【図２】この実施の形態に係る方法で形成された放射線遮蔽体を構成する組立ユニットの斜視図である。
【発明を実施するための形態】
【０００９】
以下、この発明の実施の形態を添付図面に基づいて説明する。
図１には、放射線を照射する医療機器５が設置される部屋１が記載されている。部屋１は、床２と壁３と天井４とを備えている、床２と壁３と天井４とのそれぞれには、医療機器５から照射される放射線を遮蔽することができる放射線遮蔽体１０が埋め込まれている。
【００１０】
次に、放射線遮蔽体１０を形成する方法について説明する。
図２には、放射線遮蔽体１０を構成する複数の組立ユニット２０が記載されている。組立ユニット２０は好ましくは、部屋１（図１参照）が建築される場所とは異なる場所の工場等で形成される。組立ユニット２０は、３枚の矩形の鋼板２１を積層して形成される。積層された鋼板２１同士は、接着剤やボルト等、任意の公知な手段によって固定される。組立ユニット２０は、少なくとも１辺において各鋼板２１がその１辺に垂直な方向にずれることにより階段形状を有する連結部２２を有している。図２では、２辺及び３辺において連結部２２を有する組立ユニット２０が記載されているが、１辺のみに連結部２２を有する組立ユニットや４辺すべてに連結部２２を有する組立ユニットでもよい。
【００１１】
部屋１が建築される場所とは異なる場所で組立ユニット２０を形成した場合には、組立ユニット２０を、部屋１が建築される場所にトラック等で運搬する。運搬された組立ユニット２０は、部屋１が建築される場所に一時保管されるが、部屋１の床２、壁３、天井４と比べてサイズが小さいので、当該場所で大きな鋼板を積層する従来の場合に比べて、保管場所が小さくて済み、また、組立ユニット２０の運搬についても特別大型のトラック等を使用しなくても済むので、運搬作業も効率化できる。
【００１２】
次に、組立ユニット２０を連結して放射線遮蔽体１０（図１参照）を形成する。隣り合う組立ユニット２０は、互いの連結部２２を組み合わせることにより互いに連結される。組み合わされた連結部２２同士は、接着剤やボルト等、任意の公知な手段によって固定される。このようにして組立ユニット２０を連結することにより、部屋１の床２、壁３、天井４に埋め込まれる放射線遮蔽体１０が形成される。その後、放射線遮蔽体１０が埋め込まれるように、床材、壁材、天井材を設けることで、部屋１が建築される。
【００１３】
このように、３枚の矩形の鋼板２１を積層した組立ユニット２０を連結して放射線遮蔽体１０を形成することにより、部屋１の床２、壁３及び天井４のそれぞれよりも小さい鋼板２１を用いればよいので、作業性が良好でコストも抑えることができる。
【００１４】
この実施の形態では、放射線遮蔽体１０を部屋１の床２、壁３及び天井４のそれぞれに設けていたが、この形態に限定するものではない。部屋１を含む建物の構造や、医療機器５から放射される放射線の放射態様等により、少なくとも床２、壁３及び天井４のいずれかに放射線遮蔽体１０を埋め込むようにしてもよい。
【００１５】
この実施の形態では、部屋１が建築される場所とは異なる場所の工場等で組立ユニット２０を形成していたが、当該場所に鋼板２１を運搬し、そこで組立ユニット２０を形成してもよい。この場合も、鋼板２１は、部屋１の床２、壁３、天井４と比べてサイズが小さいので、鋼板２１の保管場所が従来の場合よりも小さくて済み、鋼板２１の運搬についても運搬効率を効率化できる。
【００１６】
この実施の形態では、３枚の鋼板２１を積層して組立ユニット２０を形成していたが、３枚に限定するものではない。２枚の鋼板を積層してもよいし、４枚以上の鋼板を積層してもよい。
【００１７】
この実施の形態では、部屋１に設置されるのは、放射線を照射する医療機器５であったが、医療機器に限定するものではない。放射線を照射する分析機器等、放射線を照射する機器であれば、どのような用途の機器であってもよい。
【符号の説明】
【００１８】
１  部屋、２  床、３  壁、４  天井、５  医療機器、１０  放射線遮蔽体、２０  組立ユニット、２１  鋼板、２２  連結部。
【図１】
2018066646.tif 000003
【図２】
2018066646.tif 000004